【手続補正書】
【提出日】平成14年2月22日(2002.2.22)
【手続補正１】
【補正対象書類名】明細書
【補正対象項目名】特許請求の範囲
【補正方法】変更
【補正の内容】
【特許請求の範囲】
【請求項１】
移動通信システムのアクセス端末機で順方向データ伝送率及び順方向伝送電力レベルを決定する方法において、
順方向パイロットチャンネルの受信されたキャリア対干渉比（Ｃ／Ｉ）を測定し、前記測定されたＣ／Ｉをパケットデータの伝送率による基準Ｃ／Ｉとマッチングして前記順方向データ伝送率を決定するステップと、
前記測定されたＣ／Ｉが前記基準Ｃ／Ｉと同一ではない場合、前記測定されたＣ／Ｉと前記基準Ｃ／Ｉとの差を計算して前記順方向伝送電力レベルを決定するためのマージン情報を決定するステップと、
前記決定された順方向伝送率とマージン情報を逆方向伝送チャンネルを通じて伝送するステップと
からなることを特徴とする方法。
【請求項２】
前記順方向データ伝送率を決定するステップは、Ｃ／Ｉテーブルに貯蔵された前記測定されたＣ／Ｉより小さいＣ／Ｉしきい値のうち一番大きい値を基準Ｃ／Ｉとして選択するステップと、前記選択された基準Ｃ／Ｉに対する伝送率を決定するステップとからなることを特徴とする請求項１記載の方法。
【請求項３】
前記マージン情報を決定するステップは、前記基準Ｃ／Ｉと前記測定されたＣ／Ｉとの間の差を計算するステップと、前記計算された差を所定数のデータビットで構成される値に変換してマージン情報を決定するステップとからなることを特徴とする請求項１記載の方法。
【請求項４】
前記決定された順方向データ伝送率及びマージン情報を伝送するステップは、前記逆方向伝送チャンネルを通じて１スロットの間前記決定された順方向データ伝送率を伝送し、次の１スロットの間マージン情報を伝送することを特徴とする請求項１記載の方法。
【請求項５】
前記決定された順方向データ伝送率及び前記マージン情報は、１回反復して伝送することを特徴とする請求項４記載の方法。
【請求項６】
前記Ｃ／Ｉは、２スロットの順方向パイロットチャンネルの間測定されることを特徴とする請求項４記載の方法。
【請求項７】
前記決定された順方向データ伝送率及びマージン情報を伝送するステップは、前記逆方向伝送チャンネルを通じて１スロットの間、前記決定された順方向データ伝送率及びマージン情報を伝送することを特徴とする請求項１記載の方法。
【請求項８】
移動通信システムのアクセスネットワークで順方向データ伝送率及び順方向伝送電力レベルを決定する方法において、
逆方向リンクを通じて順方向データ伝送率及びマージン情報を受信するステップと、
前記受信されたデータ伝送率で伝送されるデータを生成するステップと、
前記受信されたマージン情報を利用して伝送電力レベルを減少させて前記データを伝送するステップと
からなることを特徴とする方法。
【請求項９】
順方向パイロットチャンネルは、前記順方向データ伝送率またはマージンに関係なく、一定の伝送電力レベルで信号を伝送することを特徴とする請求項８記載の方法。
【請求項１０】
前記順方向データ伝送率及び前記マージン情報が２スロットを通じて受信される場合、前記順方向データ伝送率のスケジューリング及び伝送電力レベルの決定を２スロットの単位で遂行することを特徴とする請求項９記載の方法。
【請求項１１】
移動通信システムにおける順方向データ伝送率及び順方向伝送電力レベルを決定する方法において、
アクセス端末機が順方向パイロットチャンネルの受信されたＣ／Ｉを測定するステップと、
前記測定されたＣ／Ｉを基準Ｃ／Ｉとマッチングして前記順方向データ伝送率を決定するステップと、
前記測定されたＣ／Ｉと前記基準Ｃ／Ｉとの差をマージン情報として決定するステップと、
前記決定された順方向データ伝送率及びマージン情報を逆方向伝送チャンネルを通じて伝送するステップと、
前記順方向データ伝送率及びマージン情報を受信すると、前記マージン情報に対応する電力だけアクセスネットワークで伝送電力レベルを減少させて前記順方向データ伝送率で順方向伝送を遂行するステップと
からなることを特徴とする方法。
【請求項１２】
前記順方向データ伝送率を決定するステップは、Ｃ／Ｉテーブルに貯蔵された前記測定されたＣ／Ｉより小さいＣ／Ｉしきい値のうち一番大きい値を基準Ｃ／Ｉとして選択するステップと、前記選択された基準Ｃ／Ｉに対するデータ伝送率を決定するステップとからなることを特徴とする請求項１１記載の方法。
【請求項１３】
前記マージン情報を決定するステップは、前記基準Ｃ／Ｉと前記測定されたＣ／Ｉとの間の差を計算し、前記計算された差を所定数のデータビットで構成される値に変換することを特徴とする請求項１１記載の方法。
【請求項１４】
前記決定された順方向データ伝送率及びマージン情報を伝送するステップは、前記逆方向伝送チャンネルを通じて１スロットの間前記データ伝送率を伝送し、次の１スロットの間マージン情報を伝送することを特徴とする請求項１１記載の方法。
【請求項１５】
前記順方向データ伝送率及び前記マージン情報は、１回反復して伝送することを特徴とする請求項１４記載の方法。
【請求項１６】
アクセス端末機が２スロットの順方向パイロットチャンネルの間Ｃ／Ｉを測定することを特徴とする請求項１４記載の方法。
【請求項１７】
前記データ伝送率及び前記マージン情報が２スロットを通じて受信される場合、前記アクセスネットワークは、前記順方向データ伝送率のスケジューリング及び２スロットの単位で伝送電力レベルの決定を遂行することを特徴とする請求項１４記載の方法。
【請求項１８】
前記決定されたデータ伝送率及びマージン情報は、前記逆方向伝送チャンネルを通じて１スロットの間伝送されることを特徴とする請求項１１記載の方法。
【請求項１９】
前記アクセスネットワークが前記データ伝送率またはマージンに関係なく、一定の伝送電力レベルで前記順方向パイロットチャンネル上の信号を伝送することを特徴とする請求項１１記載の方法。
【請求項２０】
移動通信システムのアクセス端末機で順方向データ伝送率及び順方向伝送電力レベルを決定する方法において、
順方向パイロットチャンネルの受信されたＣ／Ｉを測定するステップと、
前記測定されたＣ／Ｉを逆方向データ伝送率制御（Ｄａｔｅ Ｒａｔｅ Ｃｏｎｔｒｏｌ；ＤＲＣ）チャンネルを通じて伝送するステップと
からなることを特徴とする方法。
【請求項２１】
前記伝送されたＣ／Ｉは、前記ＤＲＣの２倍の長さを有することを特徴とする請求項２０記載の方法。
【請求項２２】
前記Ｃ／Ｉは、前記ＤＲＣの長さだけ上位ビットと下位ビットとに区分され、前記上位ビットは１スロットの間伝送され、下位ビットは次の１スロットの間伝送されることを特徴とする請求項２１記載の方法。
【請求項２３】
前記伝送されたＣ／Ｉは、反復なく、データ伝送率制御チャンネルの１スロットの間伝送されることを特徴とする請求項２１記載の方法。
【請求項２４】
前記伝送されたＣ／Ｉは、上位ビットと下位ビットとに区分され、前記上位ビットは、前記逆方向ＤＲＣチャンネルの一番目の１／２スロットで伝送され、前記下位ビットは、二番目の１／２スロットで伝送されることを特徴とする請求項２３記載の方法。
【請求項２５】
移動通信システムのアクセスネットワークで順方向データ伝送率及び順方向伝送電力レベルを決定する方法において、
逆方向リンクを通じて測定されたＣ／Ｉを受信するステップと、
前記測定されたＣ／Ｉをパケットデータのデータ伝送率による基準Ｃ／Ｉとマッチングして順方向データ伝送率を決定するステップと、
前記測定されたＣ／Ｉが前記基準Ｃ／Ｉと同一ではない場合、前記測定されたＣ／Ｉと前記基準Ｃ／Ｉとの差を計算して前記順方向伝送電力レベルを決定するためのマージン情報を決定するステップと、
前記決定された順方向データ伝送率で伝送されるデータを生成するステップと、
前記計算されたマージン情報を利用して伝送電力レベルを減少させるステップと、
前記減少された伝送電力レベルでデータを伝送するステップと
からなることを特徴とする方法。
【請求項２６】
前記Ｃ／Ｉが２スロットを通じて受信される場合、データ伝送率及びマージン情報のスケジューリングは、２スロット単位で遂行されることを特徴とする請求項２５記載の方法。
【請求項２７】
前記順方向データ伝送率を決定するステップは、Ｃ／Ｉテーブルに貯蔵された前記測定されたＣ／Ｉと同一であるかまたは小さいＣ／Ｉしきい値のうち一番大きい値を基準Ｃ／Ｉとして選択するステップと、前記選択された基準Ｃ／Ｉに対するデータ伝送率を決定するステップとからなることを特徴とする請求項２５記載の方法。
【請求項２８】
順方向パイロットチャンネルは、前記順方向データ伝送率またはマージンに関係なく、一定の伝送電力レベルで信号を伝送することを特徴とする請求項２５記載の方法。
【請求項２９】
移動通信システムにおける順方向データ伝送率及び順方向伝送電力レベルを決定する方法において、
アクセス端末機が順方向パイロットチャンネルの受信されたＣ／Ｉを測定するステップと、
前記測定されたＣ／Ｉを逆方向ＤＲＣチャンネルを通じて伝送するステップと、
アクセス端末機が逆方向リンクを通じて前記測定されたＣ／Ｉを受信すると、前記測定されたＣ／Ｉをパケットデータのデータ伝送率に対応する基準Ｃ／Ｉとマッチングして前記順方向データ伝送率を決定するステップと、
前記受信されたＣ／Ｉが前記基準Ｃ／Ｉと同一ではない場合、前記測定されたＣ／Ｉと前記基準Ｃ／Ｉとの差を計算して前記順方向伝送電力レベルを決定するためのマージン情報を決定するステップと、
前記決定されたデータ伝送率に対応する伝送データを生成するステップと、
前記計算されたマージン情報を利用して伝送電力レベルを減少させるステップと、
前記減少された伝送電力レベルでデータを伝送するステップと
からなることを特徴とする方法。
【請求項３０】
前記Ｃ／ＩがＤＲＣの２倍の長さを有することを特徴とする請求項２９記載の方法。
【請求項３１】
前記Ｃ／Ｉは、前記ＤＲＣの長さだけ上位ビットと下位ビットとに区分され、前記上位ビットは１スロットの間伝送され、下位ビットは次の１スロットの間伝送されることを特徴とする請求項３０記載の方法。
【請求項３２】
前記Ｃ／Ｉは、反復なく、前記データ伝送率制御（ＤＲＣ）チャンネルの１スロットを通じて伝送されることを特徴とする請求項２９記載の方法。
【請求項３３】
前記Ｃ／Ｉは、上位ビットと下位ビットとに区分され、前記上位ビットは、前記ＤＲＣチャンネルの一番目の１／２スロットで伝送され、前記下位ビットは、二番目の１／２スロットで伝送されることを特徴とする請求項３２記載の方法。
【請求項３４】
前記Ｃ／Ｉが２スロットを通じて受信される場合、データ伝送率及びマージン情報のスケジューリングは、２スロット単位で遂行されることを特徴とする請求項２９記載の方法。
【請求項３５】
前記順方向データ伝送率を決定するステップは、Ｃ／Ｉテーブルに貯蔵された前記測定されたＣ／Ｉより小さいＣ／Ｉしきい値のうち一番大きい値を基準Ｃ／Ｉとして選択するステップと、前記選択された基準Ｃ／Ｉに対応するデータ伝送率を決定するステップとからなることを特徴とする請求項２９記載の方法。
【請求項３６】
順方向パイロットチャンネルの信号は、前記順方向データ伝送率及びマージンに関係なく一定の伝送電力レベルで伝送することを特徴とする請求項２９記載の方法。
【請求項３７】
パイロットチャンネルから測定したＣ／Ｉ値を利用して順方向データ伝送率を決定し、基準Ｃ／Ｉと前記Ｃ／Ｉとの差によって決定されるマージン情報を利用して逆方向伝送チャンネルを通じて順方向データ伝送率及び伝送電力レベルを伝送する伝送装置において、
前記順方向データ伝送率及び前記マージン情報を時分割多重化する第１マルチプレクサと、
前記第１マルチプレクサの出力を符号化する符号化器と、
前記符号化されたデータ伝送率及びマージン情報を拡散する拡散器と、
逆方向パイロットチャンネル及びＲＲＩ（Ｒｅｖｅｒｓｅ Ｒａｔｅ Ｉｎｄｉｃａｔｏｒ）チャンネルを前記拡散器の出力に時分割多重化する第２マルチプレクサと
からなることを特徴とする伝送装置。
【請求項３８】
前記順方向データ伝送率及び前記マージン情報が２スロットを通じて伝送される場合、前記符号化器の出力を反復して前記拡散器へ出力する反復器をさらに備えることを特徴とする請求項３７記載の伝送装置。
【請求項３９】
前記第１マルチプレクサが前記順方向データ伝送率及び前記マージン情報を１スロット単位で交互に出力することを特徴とする請求項３８記載の伝送装置。
【請求項４０】
移動通信システムにおけるＣ／Ｉを伝送する伝送装置において、
測定されたＣ／Ｉを符号化する符号化器と、
前記符号化器の出力を拡散する拡散器と、
前記拡散器の出力、逆方向パイロットチャンネル、及びＲＲＩチャンネルを時分割多重化する第１マルチプレクサと
からなることを特徴とする伝送装置。
【請求項４１】
前記受信されるＣ／Ｉが１スロット単位で伝送され、前記Ｃ／Ｉを上位ビット及び下位ビットに分割する場合、前記受信されるＣ／Ｉを１スロット単位で出力することを特徴とする請求項４０記載の伝送装置。
【請求項４２】
前記Ｃ／Ｉが２スロット単位で伝送される場合、前記Ｃ／Ｉを上位ビット及び下位ビットに同等に区分して、一番目のスロットに前記上位ビットを出力し、次のスロットに前記下位ビットを出力する前記符号化器の前段に配列された第２マルチプレクサと、前記符号化器の出力を反復するために、前記符号化器と前記拡散器との間に挿入された反復器とをさらに備えることを特徴とする請求項４０記載の伝送装置。